(57)【要約】【課題】電源スイッチにかかる水滴による機能部の動作不良の発生を抑制できるトイレ装置を提供することを目的とする。【解決手段】機能部と、前記機能部を内部に収納するケーシングと、前記機能部に供給される電力を通電・遮断する電源スイッチと、を備え、前記電源スイッチは、前記ケーシングの側方側に配置されることを特徴とするトイレ装置が提供される。【選択図】図２
2019132025.tif 000002
【特許請求の範囲】
【請求項１】
機能部と、
前記機能部を内部に収納するケーシングと、
前記機能部に供給される電力を通電・遮断する電源スイッチと、を備え、
前記電源スイッチは、前記ケーシングの側方側に配置されることを特徴とするトイレ装置。
【請求項２】
前記ケーシングは、前記ケーシングの側面に形成された開口部を有し、
前記電源スイッチは、前記開口部の内部に配置されることを特徴とする請求項１記載のトイレ装置。
【請求項３】
前記電源スイッチは、電源スイッチ本体と、前記電源スイッチ本体の外周を囲むスイッチケース、を備え、
前記電源スイッチ本体の先端は、前記スイッチケースの先端よりもケーシングの内部に位置することを特徴とする請求項２記載のトイレ装置。
【請求項４】
前記ケーシングに着脱可能であり、前記開口部を覆うように前記ケーシングに装着される化粧カバーをさらに備え、
前記化粧カバーが前記ケーシングに装着された状態において、前記化粧カバーの内面は、前記電源スイッチ本体の先端と接触しないことを特徴とする請求項３記載のトイレ装置。
【請求項５】
前記化粧カバーは、その内面に、前記電源スイッチ本体と対向する位置において凹部を有することを特徴とする請求項４記載のトイレ装置。
【請求項６】
前記化粧カバーの凹部は、その外周が前記ケーシングの開口部の外周よりも外側に形成されることを特徴とする請求項５記載のトイレ装置。
【発明の詳細な説明】
【技術分野】
【０００１】
本発明の態様は、一般的に、トイレ装置に関する。
【背景技術】
【０００２】
従来、ケーシングに収納された機能部に供給する電力の通電・遮断を切り替える電源スイッチを備えたトイレ装置が知られている。（特許文献１）このトイレ装置では、使用者は電源スイッチを操作することで、機能部への電力の通電・遮断を切り替え、機能部の動作状態をＯＮ、ＯＦＦすることができる。
【先行技術文献】
【特許文献】
【０００３】
【特許文献１】特開平１１−１７２７４２号公報
【発明の概要】
【発明が解決しようとする課題】
【０００４】
このようなトイレ装置において、上述した電源スイッチは、ケーシングの上面に露出して配置されている。そのため、電源スイッチに水滴がかかりやすい。そして、その電源スイッチに付着した水滴により電源スイッチに不具合が発生し、機能部が正常に動作しない恐れがある。
【０００５】
本発明は、かかる課題の認識に基づいてなされたものであり、電源スイッチにかかる水滴による機能部の動作不良の発生を抑制できるトイレ装置を提供することを目的とする。
【課題を解決するための手段】
【０００６】
第１の発明は、機能部と、前記機能部を内部に収納するケーシングと、前記機能部に供給される電力を通電・遮断する電源スイッチと、を備え、前記電源スイッチは、前記ケーシングの側方側に配置されることを特徴とするトイレ装置。
【０００７】
このトイレ装置によれば、従来のように電源スイッチがケーシングの上面に配置されている場合と比較して、電源スイッチに水滴がかかりにくい。そのため、電源スイッチ９０に付着した水滴よる機能部の動作不良の発生を抑制することができる。
【０００８】
第２の発明は、第１の発明において、前記ケーシングは、前記ケーシングの側面に形成された開口部を有し、前記電源スイッチは、前記開口部の内部に配置されることを特徴とするトイレ装置である。
【０００９】
このトイレ装置によれば、電源スイッチがケーシングの側面から突出しない。そのため、電源スイッチに水滴がよりかかりにくくなり、電源スイッチに付着した水滴よる機能部の動作不良の発生をより抑制することができる。
【００１０】
第３の発明は、第２の発明において、前記電源スイッチは、電源スイッチ本体と、前記電源スイッチ本体の外周を囲むスイッチケースを備え、前記電源スイッチ本体の先端は、前記スイッチケースの先端よりもケーシングの内部に位置することを特徴とするトイレ装置である。
【００１１】
このトイレ装置によれば、ケーシングの側面からケーシングの開口部に水滴が伝い流れてきた場合、その水滴はスイッチケースの外周を伝い、ケーシングの下方に流れ落ちる。そのため、電源スイッチ本体に水滴がかかりにくくなり、水滴よる機能部の動作不良の発生をより抑制することができる。
【００１２】
第４の発明は、第３の発明において、前記ケーシングに着脱可能であり、前記開口部を覆うように前記ケーシングに装着される化粧カバーをさらに備え、前記化粧カバーが前記ケーシングに装着された状態において、前記化粧カバーの内面は、前記電源スイッチ本体の先端と接触しないことを特徴とするトイレ装置である。
【００１３】
このトイレ装置によれば、化粧カバーにより、電源スイッチ９０を使用しない際、水滴が電源スイッチに直接かかることを抑制することができる。
また、化粧カバー内面と電源スイッチ本体との間に空間があるため、化粧カバーの内面を伝って流れてきた水滴が電源スイッチ本体にかかりにくくなり、水滴による機能部の動作不良の発生をより抑制することができる。
【００１４】
第５の発明は、第４の発明において、前記化粧カバーは、その内面に、前記電源スイッチ本体と対向する位置において凹部を有することを特徴とするトイレ装置である。
【００１５】
このトイレ装置によれば、化粧カバー内面と電源スイッチ本体との間により広い空間を作るために電源スイッチ本体をケーシングのより内部に配置しなくてもよい。そのため、電源スイッチの使い勝手を損なうことを抑制することができる。
また、化粧カバーの内面を水滴が伝い流れる場合、水滴は凹部の外周を伝って流れ落ちる。そのため、凹部により、電源スイッチに水滴がかかりにくくなり、水滴による身体洗浄機能部の動作不良の発生をより抑制することができる。
【００１６】
第６の発明は、第５の発明において、前記化粧カバーの凹部は、その外周が前記ケーシングの開口部の外周よりも外側に形成されることを特徴とするトイレ装置である。
【００１７】
このトイレ装置によれば、水滴が電源スイッチ本体から離れた位置で凹部の外周を伝って流れ落ちるため、電源スイッチ本体に水滴がかかりにくくなり、水滴よる機能部の動作不良の発生をより抑制することができる。
【発明の効果】
【００１８】
本発明の態様によれば、電源スイッチにかかる水滴による機能部の動作不良の発生を抑制できるトイレ装置が提供される。
【図面の簡単な説明】
【００１９】
【図１】実施形態に係るトイレ装置を例示する斜視図である。
【図２】実施形態に係るトイレ装置のケーシングを例示する平面図である。
【図３】実施形態に係るトイレ装置の化粧カバーを例示する斜視図である。
【図４】図２のＸ−Ｘにおける断面図である。
【発明を実施するための形態】
【００２０】
以下、本発明の実施の形態について図面を参照しつつ説明する。なお、各図面中、同様の構成要素には同一の符号を付して詳細な説明は適宜省略する。  
図１は、実施形態に係るトイレ装置を例示する斜視図である。  
図１に示すように、実施形態に係るトイレ装置１００は、ケーシング１０と、使用者が着座する便座３０と、便蓋５０と、を有する。便座３０及び便蓋５０のそれぞれは、ケーシング１０に対して回動可能に支持されている。言い換えれば、便座３０及び便蓋５０のそれぞれは、開閉自在に軸支されている。
【００２１】
ケーシング１０の内部には、便座３０に座った使用者の人体局部（「おしり」など）の洗浄を実現する身体洗浄機能部などが内蔵されている。例えば、身体洗浄機能部として、ケーシング１０の内部には、洗浄ノズル７０や、洗浄ノズル７０の動作を制御する制御回路などが設けられる。洗浄ノズル７０は、使用者が便座３０に座っているときに、ケーシング１０の内部から前方へ進出した状態で、使用者の局部に向けて洗浄水を吐出する。また、ケーシング１０には、便座３０に座った使用者の「おしり」などに向けて温風を吹き付けて乾燥させる「温風乾燥機能」や「脱臭ユニット」や「室内暖房ユニット」などの各種の機能部が適宜設けられていてもよい。なお、本実施形態において、機能部は、身体洗浄機能部であるが、上述した各種の機能部でもよい。
【００２２】
なお、本願明細書において、「上方」、「下方」、「前方」、「後方」、「左側方」及び「右側方」のそれぞれは、開いた便蓋５０に背を向けて便座３０に座った使用者から見た方向である。
【００２３】
ケーシング１０の外面１０aには、後述する電源スイッチ９０（図２、４）を覆う化粧カバー２０が着脱自在に取り付けられている。
この化粧カバー２０がケーシング１０に取り付けられた状態において、ケーシング１０の外面１０ａと、化粧カバー２０ａの外面２０ａとは面一となっている。
【００２４】
図２は、実施形態に係るトイレ装置のケーシングを例示する平面図である。
図２は、ケーシングを右側方から見た様子を示す。
図３は、本実施形態のトイレ装置の化粧カバーを示す斜視図である。
図３は、化粧カバーを左側方側（内面側）から見た図である。
【００２５】
図２及び図３に示すように、ケーシング１０の右側方側には、身体洗浄機能部に供給される電力を通電・遮断する電源スイッチ９０が配置されている。
具体的には、電源スイッチ９０は、ケーシング１０の右側方側の外面１０ａに形成された開口部１１の内部に配置される。
この開口部１１は、ケーシング１０に装着される化粧カバー２０により覆われている。
使用者は、この化粧カバー２０を外して電源スイッチ９０を操作することで、身体洗浄機能部への電力の通電・遮断を切り替え、身体洗浄機能部の動作状態をＯＮ、ＯＦＦすることができる。
【００２６】
このように、ケーシング１０の右側方側の外面１０aに電源スイッチ９０が配置されることで、電源スイッチがケーシング１０の上面に配置されている場合と比較して、電源スイッチ９０に水滴がかかりにくい。そのため、電源スイッチ９０に付着した水滴による身体洗浄機能部の動作不良の発生を抑制することができる。
さらに、電源スイッチ９０が開口部１１の内部に配置されているので、電源スイッチ９０がケーシング１０の右側方側の外面１０aよりも右方側に突出しない。そのため、電源スイッチ９０に水滴がよりかかりにくくなる。
また、化粧カバー２０により、電源スイッチ９０を使用しない際は、水滴が電源スイッチ９０に直接かかることを抑制することができる。
なお、本実施形態において電源スイッチ９０はケーシング１０の右側方側に配置されているが、左側方側及び後方側に配置されるものであってもよい。
【００２７】
図３に示すように、化粧カバー２０の内面２０ｂは、上方に延びる上突起２１ａ、２１ｂと、水平方向に延びる係合部（図示せず）が形成される。
化粧カバー２０は、突起２１ａ、２１ｂおよび係合部がケーシング１０に係合することで、ケーシング１０に着脱可能に取り付けられている。
【００２８】
また、化粧カバー２０の内面２０ｂには、電源スイッチ本体９１と対向する位置において、内面２０ｂが窪んだ凹部２３が形成される。より具体的には、凹部２３は矩形状であり、上突起２１ａの下方に形成されている。
この凹部２３の外周２３ａは、ケーシング１０の開口部１１の外周よりも外側に形成されている。換言すると、凹部２３は、ケーシング１０の開口部１１よりも大きい。
【００２９】
化粧カバー２０の内面２０ｂを水滴が伝い流れる場合、水滴は凹部２３の外周２３ａを伝って流れ落ちる。そのため、凹部２３により、電源スイッチ９０に水滴がかかりにくくなる。
【００３０】
図４は、図２のＸ−Ｘにおける断面図である。
図４に示すように、電源スイッチ９０は、使用者に操作される電源スイッチ本体９１と、電源スイッチ本体９１を保持するスイッチケース９３と、を有する。
電源スイッチ本体９０は、、ロッカスイッチであり、その先端９１ａが使用者に押されることで、身体洗浄機能部への電力の通電・遮断が切り替えられる。なお、電源スイッチ本体９０は、プッシュスイッチ、スライドスイッチ等でもよい。
【００３１】
スイッチケース９３は、電源スイッチ本体９１の外周９１ｂを囲むような筒状に形成される。
より具体的には、スイッチケース９３は、その外周９３ｂにより、電源スイッチ本体９１の外周９１ｂを挟持している。
また、スイッチケース９３は、ケーシング１０にねじ（図示せず）により固定される。
スイッチケース９３がケーシング１０に固定された状態において、スイッチケース９３の先端９３ａは、ケーシング１０の内面１０ａに接触している。
【００３２】
ここで、電源スイッチ本体９０の先端９１ａは、スイッチケース９３の先端９３ａよりもケーシング１０の内面１０ａから離れた位置にある。換言すると、電源スイッチ本体９０の先端９１ａは、スイッチケース９３の先端９３ａよりもケーシング１０の内部に位置する。
【００３３】
電源スイッチ本体９１の先端９１ａと化粧カバー２０の内面２０ｂとの間には空間Ｓが形成される。そのため、電源スイッチ本体９１の先端９１ａは、化粧カバー２０の内面２０ｂと接触しない。
なお、電源スイッチ本体９１の先端９１ａと化粧カバー２０の内面２０ｂとの距離Ｌは、２．０ｍｍから５．０ｍｍにするのが好ましい。
【００３４】
このように、電源スイッチ本体９０の先端９１ａは、スイッチケース９３の先端９３ａよりもケーシング１０の内部に位置するので、ケーシング１０の外面１０aからケーシング１０の開口部１１に水滴が伝い流れてきた場合、その水滴はスイッチケース９３の外周を伝い、ケーシング１０の下方に流れ落ちる。そのため、電源スイッチ本体９１に水滴がかかりにくくなる。
【００３５】
ケーシング１０に、開口部１１を覆う化粧カバー２０を設けた場合、水滴が化粧カバー２０の内面２０ｂを伝い電源スイッチ９０にかかる恐れがある。
しかし、空間Ｓがあるため、化粧カバー２０の内面２０ｂを伝って流れてきた水滴が電源スイッチ本体９１にかかりにくくなる。
【００３６】
また、上述した凹部２３が化粧カバー２０の内面に形成されているため、空間Ｓを形成するために電源スイッチ本体９１をケーシング１０のより内部に配置しなくてもよい。そのため、電源スイッチ９０の使い勝手を損なうことを抑制することができる。
【００３７】
つぎに、上述した本発明の実施形態によるトイレ装置１００における作用について説明する。
まず、本発明の実施形態によるトイレ装置１００によれば、身体洗浄機能部（機能部）と、身体洗浄機能部を内部に収納するケーシング１０と、身体洗浄機能部に供給される電力を通電・遮断する電源スイッチ９０と、を備え、電源スイッチ９０は、ケーシングの右側方側に配置される。
このトイレ装置１００によれば、従来のように電源スイッチがケーシング１０の上面に配置されている場合と比較して、電源スイッチ９０に水滴がかかりにくい。そのため、電源スイッチ９０に付着した水滴よる身体洗浄機能部の動作不良の発生を抑制することができる。
【００３８】
また、本発明の実施形態によるトイレ装置１００によれば、ケーシング１０は、右側方側の外面１０aに形成された開口部１１を有し、電源スイッチ９０は、開口部１１の内部に配置される。
このトイレ装置１００によれば、電源スイッチ９０がケーシング１０の右側方側の外面１０aよりも右側方側に突出しない。そのため、電源スイッチ９０に水滴がよりかかりにくくなり、電源スイッチ９０に付着した水滴による身体洗浄機能部の動作不良の発生をより抑制することができる。
【００３９】
また、本発明の実施形態によるトイレ装置１００によれば、電源スイッチ９０は、電源スイッチ本体９１と、電源スイッチ本体９１の外周を囲むスイッチケース９３を備え、電源スイッチ本体９１の先端９１ａは、スイッチケース９３の先端９３ａよりもケーシングの内部に位置する。
このトイレ装置１００によれば、ケーシング１０の外面１０aからケーシング１０の開口部１１に水滴が伝い流れてきた場合、その水滴はスイッチケース９３の外周９３ｂを伝い、ケーシング１０の下方に流れ落ちる。そのため、電源スイッチ本体９１に水滴がかかりにくくなり、水滴よる身体洗浄機能部の動作不良の発生をより抑制することができる。
【００４０】
また、本発明の実施形態によるトイレ装置１００によれば、ケーシング１０に着脱可能であり、開口部１１を覆うようにケーシング１０に装着される化粧カバー２０をさらに備え、化粧カバー２０がケーシング１０に装着された状態において、化粧カバー２０の内面２０ｂは、電源スイッチ本体９１の先端９１ａと接触しない。
このトイレ装置１００によれば、化粧カバー２０により、電源スイッチ９０を使用しない際は、水滴が電源スイッチ９０に直接かかることを抑制することができる。
また、化粧カバー２０の内面２０ｂと電源スイッチ本体９１との間に空間Ｓがあるため、化粧カバー２０の内面２０ｂを伝って流れてきた水滴が電源スイッチ本体９１にかかりにくくなり、水滴による身体洗浄機能部の動作不良の発生をより抑制することができる。
【００４１】
また、本発明の実施形態によるトイレ装置１００によれば、化粧カバー２０は、その内面２０ｂに、電源スイッチ本体９１と対向する位置において凹部２３を有する。
このトイレ装置１００によれば、化粧カバー２０の内面２０ｂと電源スイッチ本体９１との間により広い空間Ｓを作るために電源スイッチ本体９１をケーシング１０のより内部に配置しなくてもよい。そのため、電源スイッチ９０の使い勝手を損なうことを抑制することができる。
また、化粧カバー２０の内面２０ｂを水滴が伝い流れる場合、水滴は凹部２３の外周２３ａを伝って流れ落ちる。そのため、凹部２３により、電源スイッチ９０に水滴がかかりにくくなり、水滴による身体洗浄機能部の動作不良の発生をより抑制することができる。
【００４２】
また、本発明の実施形態によるトイレ装置１００によれば、化粧カバー２０の凹部２３は、その外周２３ａがケーシング１０の開口部１１の外周よりも外側に形成される。
このトイレ装置１００によれば、水滴が電源スイッチ本体９１から離れた位置で凹部２３の外周２３ａを伝って流れ落ちるため、電源スイッチ本体９１に水滴がかかりにくくなり、水滴による身体洗浄機能部の動作不良の発生をより抑制することができる。
【００４３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレ装置が備える各要素の形状、寸法、材質、配置、設置形態などは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【符号の説明】
【００４４】
１０ ケーシング、  １０ａ 外面、  １０ｂ 内面、  １１ 開口部、  ２０ 化粧カバー、  ２０ａ 外面、  ２０ｂ 内面、  ２１ａ、２１ｂ 上突起、  ２３ 凹部、  ２３ａ 外周、  ３０ 便座、  ５０ 便蓋、  ７０ 洗浄ノズル、  ９０ 電源スイッチ、  ９１ 電源スイッチ本体、  ９１ａ 先端、  ９１ｂ 外周、  ９３ スイッチケース、  ９３ａ 先端、  ９３ｂ 外周、  １００ トイレ装置
【図１】
2019132025.tif 000003
【図２】
2019132025.tif 000004
【図３】
2019132025.tif 000005
【図４】
2019132025.tif 000006